(57)【要約】【課題】清掃シートを取り付けて使用する掃除具にあって、該清掃シートの着脱操作を簡単かつ確実に行うことができる掃除具を提供する。【解決手段】清掃シート１と、この清掃シートを着脱自在に保持する清掃本体２とを備えさせた掃除具Ａにあって、清掃本体は、下面部に、清掃シートの中間部が当接する支持面３ａを有する主体３と、この主体の上側部に設けて清掃シートの端部を係合させて保持させる保持部材４と、主体に設けた柄体５とを有し、保持部材は、清掃シートの端部を挿入する受孔部７と、該受孔部を覆うように設けた基体８に形成させた第一係止体９ａおよび第二係止体９ｂとからなり、第一係止体および第二係止体は、基体の両側部より内方へ向かってそれぞれ延出され、これら係止体の延出されたそれぞれの先端部は近接または当接していて、これら係止体の両端部には延出方向と平行する方向に形成させたスリットを設ける。【選択図】    図１
2005143616.tif 000002
【特許請求の範囲】
【請求項１】
清掃シートと、この清掃シートを着脱自在に保持する清掃本体とを備えさせた掃除具にあって、
前記清掃本体は、下面部に、前記清掃シートの中間部が当接する支持面を有する主体と、この主体の上側部に設けて前記清掃シートの端部を係合させて保持させる保持部材と、前記主体に設けた柄体とを有し、
前記保持部材は、前記清掃シートの端部を挿入する受孔部と、該受孔部を覆うように設けた基体に形成させた第一係止体および第二係止体とからなり、
前記第一係止体および第二係止体は、前記基体の両側部より内方へ向かってそれぞれ延出され、これら第一係止体および第二係止体の延出されたそれぞれの先端部は近接または当接していて、これら第一係止体および第二係止体の両端部には前記延出方向と平行する方向に形成させたスリットを設けたことを特徴とする掃除具。
【請求項２】
第一係止体および第二係止体は、基体の両側部より内方へ向かってそれぞれ延出されるその方向の長さを異ならせて設けたことを特徴とする請求項１記載の掃除具。
【請求項３】
第一係止体および第二係止体は、可撓性を有する弾性部材により形成されていて、これら第一係止体および第二係止体の弾性力を異ならせて設けたことを特徴とする請求項１記載の掃除具。
【発明の詳細な説明】
【技術分野】
【０００１】
本発明は、清掃シートを取り付けて使用する掃除具にあって、該清掃シートの着脱操作を簡単かつ確実に行うことができる掃除具に関する。
【背景技術】
【０００２】
従来、清掃シートを清掃用具本体へ取り付けて使用する清掃用具において、その清掃シートの装着性を向上させた清掃用具が知られている（例えば、特許文献１参照。）。
【０００３】
【特許文献１】実用新案登録第２５０７３００号公報
【０００４】
この清掃用具は、清掃シートをスリットへ指で押し込むことで、該スリットの鋸歯形状によって清掃用具本体へ簡単に取り付けることができるものであるが、掃除の際に、この清掃シートを掃除面に当てて左右に移動させると、該掃除面との摩擦抵抗によってこの清掃シートが清掃用具本体からずれて、前記スリットから外れることがあった。
【発明の開示】
【発明が解決しようとする課題】
【０００５】
本発明は、前記した問題点を解決するためになされたもので、清掃シートと、この清掃シートを着脱自在に保持する清掃本体とを備えさせた掃除具にあって、清掃本体は、下面部に、清掃シートの中間部が当接する支持面を有する主体と、この主体の上側部に設けて清掃シートの端部を係合させて保持させる保持部材と、主体に設けた柄体とを有し、保持部材は、清掃シートの端部を挿入する受孔部と、該受孔部を覆うように設けた基体に形成させた第一係止体および第二係止体とからなり、第一係止体および第二係止体は、前記基体の両側部より内方へ向かってそれぞれ延出され、これら第一係止体および第二係止体の延出されたそれぞれの先端部は近接または当接していて、これら第一係止体および第二係止体の両端部には前記延出方向と平行する方向に形成させたスリットを設けることにより、清掃シートを取り付けて使用する掃除具にあって、該清掃シートの着脱操作を簡単かつ確実に行うことができる掃除具を提供することを目的としている。
【課題を解決するための手段】
【０００６】
前記した目的を達成するための本発明の手段は、
清掃シートと、この清掃シートを着脱自在に保持する清掃本体とを備えさせた掃除具にあって、
前記清掃本体は、下面部に、前記清掃シートの中間部が当接する支持面を有する主体と、この主体の上側部に設けて前記清掃シートの端部を係合させて保持させる保持部材と、前記主体に設けた柄体とを有し、
前記保持部材は、前記清掃シートの端部を挿入する受孔部と、該受孔部を覆うように設けた基体に形成させた第一係止体および第二係止体とからなり、
前記第一係止体および第二係止体は、前記基体の両側部より内方へ向かってそれぞれ延出され、これら第一係止体および第二係止体の延出されたそれぞれの先端部は近接または当接していて、これら第一係止体および第二係止体の両端部には前記延出方向と平行する方向に形成させたスリットを設けた掃除具の構成にある。
【０００７】
第一係止体および第二係止体は、基体の両側部より内方へ向かってそれぞれ延出されるその方向の長さを異ならせて設ける。
【０００８】
第一係止体および第二係止体は、可撓性を有する弾性部材により形成されていて、これら第一係止体および第二係止体の弾性力を異ならせて設ける。
【発明の効果】
【０００９】
前述のように構成される本発明は、互いに近接または当接するように設けられた第一係止体および第二係止体とにより、清掃シートの取り付けに際して、容易に行うことができ、掃除使用にあって、掃除面との摩擦抵抗を受けても、清掃シートはずれることなく確実に保持させることができる。
【実施例】
【００１０】
次に、本発明に関する掃除具の一実施例を図面に基づいて説明する。
図１〜図４においてＡは掃除具で、清掃シート１と、この清掃シート１を着脱自在に保持する清掃本体２とを備える。
【００１１】
そして、前記した清掃シート１は、不織布やポリエステル、ポリプロピレンなどの素材により方形状等のシート状に形成してあって、ウエットタイプやドライタイプ等が適宜選定し得る。また、後記する主体３の支持面３ａより少なくとも大きな形状を有するように形成されている。
【００１２】
前記した清掃本体２は、その下面部に、清掃シート１の中間部１ａが当接する支持面３ａを有する主体３と、この主体３の上側部に設けて清掃シート１の端部１ｂを係合させて保持させる保持部材４と、主体３に設けた柄体５とを有している。
【００１３】
前記した主体３は、合成樹脂等により一側辺が長辺でこの長辺と直交する他辺が短辺となる方形状の薄箱状または薄板状に形成してある。また、前記支持面３ａは、この主体３の下側へ嵌着した発泡ポリエチレン等の板状の弾性体６を利用することで、清掃シート１と床などの掃除面との当接状態が柔軟に行われ、該掃除面の凹凸面に馴染んで、その拭き取り能力が向上する。
【００１４】
前記した保持部材４は、清掃シート１の端部１ｂを挿入する受孔部７と、該受孔部７を覆うように設けた基体８に形成させた第一係止体９ａおよび第二係止体９ｂとからなる。
【００１５】
このうち、前記した受孔部７は、図１および図３等に示すように、主体３の上面においてその四隅部にそれぞれ穿設されたもので、指先などで挿入された清掃シート１の端部１ｂが埋入される所定深さを有する。
そして、この受孔部７の内形状にその外形部を合わせた基体８を取り付けることで、該受孔部７は外観上、その全体あるいは少なくとも一部が覆われた状態となる。
【００１６】
前記した第一係止体９ａおよび第二係止体９ｂは、可撓性を有しかつ弾性（変形後復帰し得るバネ性であってもよい）を有する素材により形成されていて、基体８の両側部（外側部）より内方へ向かってそれぞれ延出され、これら第一係止体９ａおよび第二係止体９ｂの延出されたそれぞれの先端部は、一平面状において一致または略一致している面一となり、しかも、両係止体９ａ，９ｂはそれぞれ近接または当接していて、これら第一係止体９ａおよび第二係止体９ｂの両端部には、前記延出方向と平行または略平行する方向に溝状に切除させたり切れ目を入れたり形成させたスリット１０，１０を設けてある。
すなわち、この第一係止体９ａおよび第二係止体９ｂは、両側のスリット１０，１０に挟まれてその先端部に連続した切れ目１１が形成されていることで、該第一係止体９ａと第二係止体９ｂとが基体８から切れ目１１までの該基体８の内方へ向かう方向に対して片持ち状態に延出されている。
また、第一係止体９ａおよび第二係止体９ｂにおけるその先端部の切れ目１１は、直線状に形成されていても構わないものであるが、図１および図５に示すように、先端が尖鋭となる鋸歯状のギザギザに形成しておけば、清掃シート１との係止状態が良好となる。
【００１７】
更に、この第一係止体９ａおよび第二係止体９ｂは、図１および図４〜図６等に示すように、基体８の両側部より内方へ向かってそれぞれ延出されるその方向の長さを異ならせて設けてある。
すなわち、図５に示すように、清掃本体２における主体３の外周側に位置する第一係止体９ａと、主体３の内側に位置する第二係止体９ｂとのその延出長さ寸法を、第一係止体９ａの延出長さ寸法ｍより第二係止体９ｂの延出長さ寸法ｎを長く（ｍ＜ｎ）に設けてある。
そのため、清掃シート１が清掃本体２へ巻き付けたとき、その端末側が第二係止体９ｂに位置する。
いわゆる、前記したスリット１０，１０の長さが、第一係止体９ａおよび第二係止体９ｂの延出方向の長さ寸法ｍ，ｎとなる。したがって、スリット１０の長さが長ければ、前記延出方向の長さ寸法ｎが長くなり、スリット１０の長さが短ければ、前記延出方向の長さ寸法ｍが短くなる。この長さ寸法ｍにあって切れ目１１を鋸歯状のギザギザに形成した場合には、山状の形態が延出部となるため、スリット１０による該長さ寸法ｍを必要としない場合もある。
【００１８】
これにより、清掃本体２へ巻き付けた清掃シート１を保持部材４へ係止させるとき、図６（ａ）に示すように、この清掃シート１の上から受孔部７へ向かって指などにより押し込むと、この押し込まれた力によって、延出長さ寸法ｎが長い第二係止体９ｂが延出長さ寸法ｍの短い第一係止体９ａより容易にかつ先に変形することができる。
【００１９】
したがって、前記のように構成される本発明に係る一実施例の掃除具Ａは、以下に述べる作用を奏する。
まず、方形状の清掃シート１を広げて清掃本体２における主体３へ巻き付け、その両端末部を該主体３における上面部へ折り返して、この主体３の上部に設けた保持部材４上へ被せるように乗せる。
次に、図６（ａ）に示すように、その清掃シート１の上から保持部材４における受孔部７へ向かって指などにより押し込むと、図５に示すように、第二係止体９ｂの延出長さ寸法ｎが第一係止体９ａの延出長さ寸法ｍより長いため、図６（ｂ）に示すように、この第二係止体９ｂがその可撓性と弾性により先にあるいは多くの量が湾曲変化して、受孔部７に該第二係止体９ｂと共に清掃シート１の端末側が所定寸法押し込まれる。
【００２０】
この状態で、押し込んだ指を離せば、図６（ｃ）に示すように、湾曲変化した第二係止体９ｂはその弾性により元の位置に復帰する。そのため、受孔部７内に押し込まれた清掃シート１は、該受孔部７内に残存すると共に、元の位置に復帰した第二係止体９ｂの先端部が、切れ目１１部において第一係止体９ａの先端部に当接して清掃シート１を、この第一係止体９ａおよび第二係止体９ｂにより挟持させる。
【００２１】
したがって、これらの操作を、清掃本体２における主体３の四隅部に設けた保持部材４に対して同様に行うことで、清掃シート１は、図１に示すように、清掃本体２へ所定の緊張により取り付けられる。
この状態で、床面などの掃除面に支持面３ａを対応させて摺り動かすことで、床などの汚れやホコリなどは、清掃シート１に拭き取られて綺麗に掃除することができる。
【００２２】
このとき、この清掃シート１を掃除面に当てて左右に移動させると、該掃除面と清掃シート１とには摺動摩擦抵抗を生じて、図６（ｃ）において矢印ｐに示すように、該清掃シート１の端末部側に引っ張り力が掛かるが、この清掃シート１は第一係止体９ａと第二係止体９ｂの当接部においてその切れ目１１に挟持されて保持されているので、清掃シート１は保持部材４から外れることがない。
特に、延出長さ寸法ｍが短い第一係止体９ａが主体３の外周側部に位置する、すなわち、清掃シート１の端末部側に引っ張り力ｐが掛かる側に設けられているため、前記延出長さ寸法ｍがこの引っ張り力ｐに対する抗力を発揮して湾曲変形を生じないので、清掃シート１の外れ防止を促進させる。
【００２３】
また、清掃シート１の交換等により主体３から取り外す場合には、図６（ｃ）に示すように、主体３に巻き付けられた清掃シート１の端末部側１ｃを、同図において矢印ｒに示す方向へ引っ張ることで、延出長さ寸法ｎの長い第二係止体９ｂが比較的容易に湾曲変形して切れ目１１部の隙間を形成し、第一係止体９ａと第二係止体９ｂとの先端部の当接を解除するので、容易に保持部材４からの清掃シート１の取り外しを行うことができる。
【００２４】
なお、前記したように保持部材４における第一係止体９ａおよび第二係止体９ｂは、清掃シート１の取り付けにあって、その良好な取付性を得るために、清掃シート１の上から指などで押し付けられたとき、先に第二係止体９ｂが湾曲変形する構成を有するもので、この作用を発揮し得る構成として、これら第一係止体９ａおよび第二係止体９ｂの弾性力を異ならせて設けることもできる。
【００２５】
すなわち、第一係止体９ａおよび第二係止体９ｂは、可撓性を有する弾性部材により形成されているもので、この場合、必ずしも、その基体８の両側部より内方へ向かってそれぞれ延出されるその方向の延出長さ寸法を異ならせて設けなくてもよい。
その一つの例として、図７（ａ）に示すように、第一係止体９ａと第二係止体９ｂの厚さｔ１，ｔ２（第一係止体９ａの厚さｔ１＞第二係止体９ｂの厚さｔ２）を変えたり、図７（ｂ）に示すように、第一係止体９ａに補強リブ１２を設けたりして、第一係止体９ａと第二係止体９ｂとの強度や弾性力を変えることで、第二係止体９ｂを第一係止体９ａより先に湾曲変形させることができる。
【図面の簡単な説明】
【００２６】
【図１】本発明に関する掃除具の第一実施例を示す要部の斜視図である。
【図２】図１における掃除具の清掃本体を示す一部を破断した正面図である。
【図３】図１における掃除具の清掃本体を示す平面図である。
【図４】図１における掃除具の清掃本体を示す縦断側面図である。
【図５】図４における掃除具の清掃本体における保持部材の要部を示す平面図である。
【図６】図１における掃除具の清掃シートの取付状態の各例を示す要部の断面図である。
【図７】図１における掃除具の清掃本体における保持部材の他例を示す要部の断面図である。
【符号の説明】
【００２７】
Ａ…掃除具．１…清掃シート．２…清掃本体．３…主体．３ａ…支持面．４…保持部材．５…柄体．７…受孔．８…基体．９ａ…第一係止体．９ｂ…第二係止体．１０…スリット．
【図１】
2005143616.tif 000003
【図２】
2005143616.tif 000004
【図３】
2005143616.tif 000005
【図４】
2005143616.tif 000006
【図５】
2005143616.tif 000007
【図６】
2005143616.tif 000008
【図７】
2005143616.tif 000009